(57)【要約】【課題】冷却用ファン等を用いることなく、ケース内エアーを介して発熱部品を効率良く冷却すること。【解決手段】遊技機用モジュールは、発熱部品３６を有するモジュール本体と、モジュール本体を収容するケース３５とを有し、遊技機用モジュールの昇温したケース３５内エアーの熱を、自身の遊技球供給通路４２を転動する遊技球Ｂに吸熱させる遊技機用モジュールであって、ケース３５の天板５１および遊技球供給通路４２を高熱伝導性材料で構成し、高熱伝導性の放熱部材６０を介して天板５１と遊技球供給通路４２とを接触させた。【選択図】図７
2008188299.tif 000002
【特許請求の範囲】
【請求項１】
発熱部品を有するモジュール本体と、前記モジュール本体を収納するケースとを有し、昇温したケース内エアーの熱を、自身の遊技球供給通路を転動する遊技球に吸熱させる遊技機用モジュールであって、
前記ケースの天板および前記遊技球供給通路を高熱伝導性材料で構成し、
高熱伝導性の放熱部材を介して前記天板と前記遊技球供給通路とを接触させたことを特徴とする遊技機用モジュール。
【請求項２】
前記放熱部材の前記遊技球供給通路との接触部は、少なくとも前記遊技球供給通路の下半部と相補的形状に形成されていることを特徴とする請求項１に記載の遊技機用モジュール。
【請求項３】
発熱部品を有するモジュール本体と、前記モジュール本体を収納するケースとを有し、昇温したケース内エアーの熱を、自身の遊技球供給通路を転動する遊技球に吸熱させる遊技機用モジュールであって、
前記遊技機用モジュールに、前記遊技球供給通路の一部を構成すると共に高熱伝導性材料で構成した供給通路部を、前記ケース内エアーに接触するように組み込んだことを特徴とする遊技機用モジュール。
【請求項４】
前記ケースの天板の上面に、前記供給通路部を形成したことを特徴とする請求項３に記載の遊技機用モジュール。
【請求項５】
前記天板は、板状の天板本体と前記供給通路部を形成した通路形成部とを積層して成ることを特徴とする特徴とする請求項４に記載の遊技機用モジュール。
【請求項６】
前記ケース内を横断するように前記供給通路部を配設したことを特徴とする請求項３に記載の遊技機用モジュール。
【請求項７】
前記遊技機用モジュールが、遊技機用表示機であることを特徴とする請求項１ないし６のいずれかに記載の遊技機用モジュール。
【請求項８】
発熱部品を有するモジュール本体と、前記モジュール本体を収納するケースとを有する遊技機用モジュールにおける前記ケースの天板を高熱伝導性材料で構成すると共に自身の遊技球供給通路を高熱伝導性材料で構成し、
高熱伝導性の放熱部材を介して前記天板と前記遊技球供給通路とを接触させ、昇温したケース内エアーの熱を、前記遊技球供給通路を転動する遊技球に吸熱させることを特徴とする遊技機用モジュールの冷却方法。
【請求項９】
発熱部品を有するモジュール本体と、前記モジュール本体を収納するケースとを有する遊技機用モジュールに、自身の遊技球供給通路の一部を構成すると共に高熱伝導性材料で構成した供給通路部を、ケース内エアーに接触するように組み込み、
昇温した前記ケース内エアーの熱を、前記遊技球供給通路を転動する遊技球に吸熱させることを特徴とする遊技機用モジュールの冷却方法。
【請求項１０】
請求項１ないし６のいずれかに記載の遊技機用モジュールを備えたことを特徴とする遊技機。
【発明の詳細な説明】
【技術分野】
【０００１】
本発明は、発熱部品を有するモジュール本体をケースに収容した遊技機用モジュール、遊技機用モジュールの冷却方法およびこれを用いた遊技機に関するものである。
【背景技術】
【０００２】
近年、多くのパチンコ機等の遊技機には、液晶ディスプレイの表示装置（遊技機用表示機）が組み込まれており、この表示装置の背面には、ディスプレイの表示制御回路やバックライト用の駆動回路等の多くの電子回路がケースに収容され、ユニット（モジュール）化されて設けられている。これら電子回路は、グラフィック処理などの高速処理により発熱を伴うため、従来では、電子回路等の発熱部品を冷却するために、ユニット内に冷却用ファンを備えたものが知られている（特許文献１参照）。この表示装置は、冷却用ファンにより、吸気口からケース内部に吸気された外気を排気口から排気して、ケース内の発熱部品を冷却している。
【特許文献１】特開２００６−０３４７７６号公報
【発明の開示】
【発明が解決しようとする課題】
【０００３】
しかしながら、従来の表示装置では、ケース内部の冷却のために冷却用ファンを取り付けるようにしているため、コスト高になると共に、冷却用ファンを取り付けた分、表示装置が大型化する問題がある。また、冷却用ファンによる排気方式の場合、空中の塵を吸い込んでしまい、モジュール内に堆積してしまうという問題がある。
【０００４】
本発明は、冷却用ファンを用いることなく、ケース内のエアーを介して発熱部品を効率良く冷却することができる遊技機用モジュール、遊技機用モジュールの冷却方法およびこれを用いた遊技機を提供することを目的とする。
【課題を解決するための手段】
【０００５】
本発明の遊技機用モジュールは、発熱部品を有するモジュール本体と、モジュール本体を収容するケースとを有し、昇温したケース内エアーの熱を、自身の遊技球供給通路を転動する遊技球に吸熱させる遊技機用モジュールであって、ケースの天板および遊技球供給通路を高熱伝導性材料で構成し、高熱伝導性の放熱部材を介して天板と遊技球供給通路とを接触させたことを特徴とする。
【０００６】
また、本発明の遊技機用モジュールの冷却方法は、発熱部品を有するモジュール本体と、モジュール本体を収容するケースとを有する遊技機用モジュールにおけるケースの天板を高熱伝導性材料で構成すると共に自身の遊技球供給通路を高熱伝導性材料で構成し、高熱伝導性の放熱部材を介して天板と遊技球供給通路とを接触させ、昇温したケース内エアーの熱を、遊技球供給通路を転動する遊技球に吸熱させることを特徴とする。
【０００７】
これらの構成によれば、昇温したケース内エアーの熱は、放熱部材との接触を介してケースの天板から遊技球供給通路に伝熱され、遊技球供給通路を転動する遊技球に吸熱される。この遊技球の吸熱によりケース内エアーの排熱が行われ、これに接する発熱部品を冷却することができる。また、冷却用ファンが不要であると共に、遊技機用モジュール自体の加工が不要であり、既存の遊技機用モジュールを用いることができるため、コストを削減することができる。
【０００８】
この場合、放熱部材の遊技球供給通路との接触部は、少なくとも遊技球供給通路の下半部と相補的形状に形成されていることが好ましい。
【０００９】
この構成によれば、放熱部材と遊技球供給通路との接触面積、すなわち伝熱面積が大きくすることができるため、放熱部材への伝熱が促進され、ケース内エアーを効率良く冷却することができる。例えば、遊技球供給通路を円筒形状に形成した場合、放熱部材の遊技球供給通路との接触部の形状は、円筒形状の下半部に対応する断面半円の溝条となり、遊技球供給通路と密接する形状になる。
【００１０】
本発明の遊技機用モジュールは、発熱部品を有するモジュール本体と、モジュール本体を収容するケースとを有し、昇温したケース内エアーの熱を、自身の遊技球供給通路を転動する遊技球に吸熱させる遊技機用モジュールであって、遊技機用モジュールに、遊技球供給通路の一部を構成すると共に高熱伝導性材料で構成した供給通路部を、ケース内エアーに接触するように組み込んだことを特徴とする。
【００１１】
また、本発明の遊技機用モジュールの冷却方法は、発熱部品を有するモジュール本体と、モジュール本体を収容するケースとを有する遊技機用モジュールに、自身の遊技球供給通路の一部を構成すると共に高熱伝導性材料で構成した供給通路部を、ケース内エアーに接触するように組み込み、昇温したケース内エアーの熱を、遊技球供給通路を転動する遊技球に吸熱させることを特徴とする。
【００１２】
これらの構成によれば、昇温したケース内エアーの熱は、遊技機用モジュールに組み込まれた供給通路部に伝熱され、供給通路部内を転動する遊技球に吸熱される。これにより、冷却用ファンを用いることなく、遊技球の吸熱によりケース内エアーの排熱が行われ、これに接する発熱部品を冷却することができる。また、遊技機用モジュール内に供給通路部が組み込まれるので、供給通路部と他の部品との兼用が可能になると共に、ケース内エアーと供給通路部とを容易に接触させることができる。
【００１３】
この場合、ケースの天板の上面に、供給通路部を形成したことが好ましい。
【００１４】
この構成によれば、ケース内上部には最も高温になっているため、効率良く熱伝導できる。また、ケース内のデバイス等の位置を気にすることなく、供給通路部を配置することができる。
【００１５】
この場合、天板は、板状の天板本体と供給通路部を形成した通路形成部とを積層して成ることが好ましい。
【００１６】
この構成によれば、天板本体が通路形成部の一部になるので、コストを削減することができる。例えば、断面半円筒状の通路形成部を形成した場合、断面部分を天板本体が構成すれば、供給通路部は断面部分を除く部分のみ構成すればよい。
【００１７】
この場合、ケース内を横断するように供給通路部を配設したことが好ましい。
【００１８】
この構成によれば、ケース内に組み込まれた供給通路部の距離が長くなり、ケース内のエアーとの接触面積、すなわち伝熱面積が大きくなる。これにより、ケース内の熱を、遊技球に効率良く吸熱させることができる。
【００１９】
これらの場合、遊技機用モジュールが、遊技機用表示機であることが好ましい。
【００２０】
この構成によれば、特に高速処理を行うパワーＩＣ等の発熱部品を搭載した遊技機用表示機等に有用である。
【００２１】
本発明の遊技機は、上記遊技機用モジュールを備えたことを特徴とする。
【００２２】
この構成によれば、遊技機用モジュールの冷却を単純な構成で行うことができ、全体としてコストダウンが可能になる。
【発明を実施するための最良の形態】
【００２３】
以下、添付の図面を参照して、本実施形態に係る遊技機用モジュール、遊技機用モジュールの冷却方法およびこれを用いた遊技機について説明する。本実施形態に係る遊技機は、グラフィック表示のための遊技機用表示機（遊技機用モジュール）を備えたものであり、この遊技機用表示機の発熱を、自身の遊技球供給通路を転動する金属製の遊技球で冷却するものである。なお、本実施形態では、遊技機としてパチンコ機を例に挙げて説明する。また、本実施形態において、「前」、「後」、「左」、「右」、「上」、「下」は、パチンコ機で遊技を行う遊技者から見た方向に従う。
【００２４】
まず、パチンコ機１０を含む遊技システム１について説明する。図１に示すように、遊技システム１は、複数台のパチンコ機１０からなる複数のパチンコ島３と、各パチンコ島３に遊技球Ｂを供給する遊技球供給装置４と、各パチンコ機１０で使用された遊技球Ｂを回収する回収装置５と、を備えている。
【００２５】
遊技球供給装置４は、パチンコ島３との間に配設された外部供給通路６を介して各パチンコ島３に遊技球Ｂを供給すると共に、回収装置５との間に配設された回収通路７を介して回収装置５から遊技球Ｂを回収する。そして、遊技球供給装置４は、回収した遊技球Ｂの表面を洗浄および研磨し、再びパチンコ島３に供給する。パチンコ島３は、パチンコ機１０を複数台外向きに列設したものであり、例えば、通路等の空間を挟んで複数構成されている。遊技球供給装置４から外部供給通路６を介して各パチンコ島３に供給された遊技球Ｂは、各島内で分流し、各パチンコ機１０に供給される。回収装置５は、パチンコ機１０の外部に配設され、各パチンコ機１０で遊技者の遊技に使用された遊技球Ｂを回収し、回収通路７を介して遊技球供給装置４に戻す。このように、遊技球Ｂは、遊技球供給装置４、パチンコ島３（パチンコ機１０）および回収装置５の中で循環使用されている。
【００２６】
図２および図３は、本実施形態に係るパチンコ機１０の表裏両側からそれぞれ見た外観斜視図である。両図に示すように、パチンコ機１０は、枠状の筐体１１と、筐体１１に組み込まれた遊技機本体２０と、を備えている。
【００２７】
筐体１１の前面左部には、ヒンジ１２が設けられ、このヒンジ１２を介して遊技機本体２０が前方に開き戸形式で引き出されるようになっている。そして、遊技機本体２０の裏面には、遊技機用表示機３０が着脱自在に取り付けられている。また、筐体１１の上部裏面側には切欠き部１３が形成され、この切欠き部１３には、後述するように下側から遊技球Ｂの受け皿４１が臨んでいる。
【００２８】
遊技機本体２０は、前面に広く設けた遊技盤２１と、遊技盤２１の前面を覆う透光板を有する前扉２２と、前面右下部に設けられ、遊技球Ｂの発射操作を行うためのハンドル２３と、遊技盤２１の下側に配設した遊技球Ｂを貯めるための上皿２４と、上皿２４の下方に配設した下皿２５と、を備えている。
【００２９】
遊技盤２１は、ハンドル２３から打ち出された遊技球Ｂを導くガイドレール２６によって囲まれた遊技領域Ａを有し、この遊技領域Ａ内には、遊技球Ｂの軌道を変更させる複数の遊技釘２７と、遊技球が入賞すると下皿２５に所定数の遊技球Ｂを払い出させる複数の入賞口２８と、遊技球Ｂが入ると使用済み遊技球Ｂとして処理されるアウト口２９が設けられている。また、遊技盤２１の中央部には開口が形成され、この開口には裏側から遊技機用表示機３０の液晶ディスプレイ３１が臨んでいる（詳細は後述する）。また、前扉２２は、遊技盤２１に対し開閉自在に設けられており、前扉２２を開放することにより、遊技盤２１の盤面のメンテナンス等を行うことが可能になっている。
【００３０】
遊技機本体２０の裏面側には、遊技盤２１の裏面の位置に、上述した遊技球供給装置４から供給される遊技球Ｂを自機に導入する導入ユニット４０と、導入ユニット４０の下方に配設された遊技機用表示機３０と、遊技機用表示機３０の上面に設けた放熱部材６０と、が配設されている。
【００３１】
導入ユニット４０は、上記の切欠き部１３の下部に配設される受け皿４１と、受け皿４１から供給された遊技球Ｂを上皿２４および下皿２５に選択的に供給する払出し装置４３と、受け皿４１と払出し装置４３とを接続する遊技球供給通路４２と、払出し装置４３と上皿２４および下皿２５とを接続する遊技球分岐通路４４と、で構成されている。この場合、少なくとも遊技球供給通路４２は、ステンレスやアルミニウム等の金属や導電性樹脂等の高熱伝導性材料で構成されている。そして、遊技球供給通路４２は、放熱部材６０の上面に接触すると共に、払出し装置４３に向かって遊技球Ｂが転動するように、図３に示す矢印Ｃ方向に下り傾斜に形成されている。
【００３２】
受け皿４１は、その底部が、左部に設けた供給口４１ａに向かって所定の下り勾配を有している。そして、供給口４１ａに遊技球供給通路４２が接続されている。遊技球供給通路４２は、例えば、円筒や角筒のパイプ形状に形成されており（図示のものは角パイプ状）、受け皿４１に供給された遊技球Ｂは、遊技球供給通路４２内を転動して払出し装置４３に流れ、払出し装置４３から上皿２４および下皿２５に選択的に供給される。したがって、パチンコ機１０が使用されている状態では、遊技球供給通路４２内を遊技球Ｂが流れる（転動する）こととなる。
【００３３】
図３ないし図５に示すように、遊技盤２１に裏側から臨む遊技機用表示機３０は、表側の液晶ディスプレイ３１と、液晶ディスプレイ３１の裏面側に添設したバックライト３２と、液晶ディスプレイ３１の表示を制御する表示制御回路やバックライト３２の駆動を制御する駆動制御回路等の複数の電子回路３３を組み込んだ回路基板３４と、これらを収容するケース３５と、から成り、これらが一体にモジュール（ユニット）化されている。
【００３４】
液晶ディスプレイ３１およびバックライト３２は、ケース３５の表側の空間に組み込まれ、回路基板３４は、ケース３５の裏側の空間に組み込まれている。液晶ディスプレイ３１には、表示制御回路の制御により、抽選結果などの遊技に関連した画像が表示される。バックライト３２は、蛍光管および反射板（図示省略）を有し、駆動制御回路の蛍光管への電圧印加により、蛍光管の生じた放電光を反射板に反射させて液晶ディスプレイ３１側に射出する。
【００３５】
電子回路３３は、入賞口２８に落入した際の抽選を行う制御回路、液晶ディスプレイ３１に抽選結果などの遊技に関連する画像を表示制御し、グラフィック処理等の高速演算処理を行う表示制御回路およびバックライトを駆動制御する駆動制御回路等で構成され、これらが回路基板３４に実装されている。そして、回路基板３４上には、グラフィック処理等に供されるパワートランジスタ等の複数の発熱部品３６が組み込まれている（図５参照）。
【００３６】
図４に示すように、ケース３５は、天板５１、底板５２、両側板５３および裏板５４により方形箱状に形成されており、前面開放部分には液晶ディスプレイ３１が嵌め込まれている。天板５１の上面には左右一対の掛止部５５が設けられる一方、底板５２の下面には左右一対の固定金具５６が設けられ、一対の掛止部５５を遊技機本体２０の一対のフック（図示省略）に掛止し、かつ一対の固定金具５６で遊技機本体２０に締結することにより、ケース３５が遊技機本体２０に固定されている。裏板５４の下部には、多数の小孔から成る裏板換気口５８が形成され、また底板５２には、ガラリ状の底板換気口５９が複数横並びに形成されている。
【００３７】
天板５１は、ステンレスおよびアルミニウム等の金属や、導電性樹脂等の高熱伝導性材料で形成され、放熱部材６０の下面と密接している（図３および図５参照）。底板５２、両側板５３および裏板５４は、透明な樹脂性材料で形成され、ケース３５の内部が外部から視認可能に構成されている。ケース３５の内部のエアーは、上記複数の発熱部品３６により昇温されるが、上記の裏板換気口５８および底板換気口５９を介して換気されるが、主として放熱部材６０を介して冷却される。
【００３８】
放熱部材６０は、アルミニウムやステンレス等の金属や、導電性樹脂等の高熱伝導性材料で形成され、下面６１が天板５１に密接し、上面６２が遊技球供給通路４２の下り傾斜にならって傾斜している（図３および図５参照）。具体的には、放熱部材６０の下面６１は、天板５１上面の全域に密接する平坦な形状に形成されている。一方、放熱部材６０の上面６２は、遊技球供給通路４２の下り傾斜にならって平坦な傾斜面に形成されている。
【００３９】
図６は、放熱部材６０の上面６２の変形例であり、この変形例では、放熱部材６０の上面６２に、遊技球供給通路４２の下半部４５と相補的形状となる溝条６２ａが形成されている。すなわち、この溝条６２ａに遊技球供給通路４２が下半部４５を埋め込まれるようにして密接している。例えば、図６（ａ）に示すように、遊技球供給通路４２を角筒のパイプ形状に形成した場合には、溝条６２ａの形状は、その下半部４５に対応する断面略「Ｕ」字状となり、図６（ｂ）に示すように、遊技球供給通路４２を円筒のパイプ形状に形成した場合には、溝条６２ａの形状は、その下半部４５に対応する断面半円状となる。これにより、放熱部材６０と遊技球供給通路４２との接触面積、つまり伝熱面積を大きくすることができるため、放熱部材６０への伝熱が促進される。なお、図６のように、天板５１の下面に多数のフィンＦを設け、エアーとの接触面積を大きくすることが好ましい。
【００４０】
図７に示すように、ケース３５内において、発熱部品３６の周囲のエアーが昇温されると、昇温された昇温エアーは上昇し、ケース３５上方に移動する。昇温エアーが天板５１に接触すると、その熱が高熱伝導性材料で形成された天板５１に伝熱し、さらに同じく高熱伝導性材料で形成された放熱部材６０に伝熱する。そして、放熱部材６０の熱は、さらに遊技球供給通路４２、遊技球供給通路４２内の遊技球Ｂに伝導する。一方、遊技球供給通路４２の遊技球Ｂは、払出し装置４３を介して適宜上皿２４および下皿２５に払い出しされる。すなわち、遊技球Ｂは、遊技球供給通路４２内を転動しながら、放熱部材６０の熱を吸熱し払い出される。これにより、ケース３５内の昇温エアーの排熱が行われ、昇温エアーに接する発熱部品（電子回路３３）３６等が冷却される。なお、上皿２４および下皿２５に払い出された後の遊技球Ｂは、室温により冷却される。
【００４１】
このように、本実施形態によれば、発熱部品３６に生じた熱を、遊技球供給通路４２内を転動する遊技球Ｂに吸熱されるようにしているため、冷却用ファン等を用いることなく、発熱部品３６の熱を廃熱することができる。また、遊技機用表示機３０自体の加工が不要であるため、既存の遊技機用表示機３０に適用することができ、コストアップを抑制することができる。
【００４２】
なお、天板５１、放熱部材６０および遊技球供給通路４２に、遊技球Ｂの転動に支障が無い程度の大きさの小孔を上下方向に複数貫通形成してもよい。これにより、小孔を貫通したケース３５内の昇温エアーを、直接遊技球Ｂに吸熱させることができるので、遊技機用表示機３０内をさらに効率的に冷却することができる。また、小孔を貫通形成する場合には、遊技球供給通路４２は、熱伝導性の低いプラスチック等でも目的が達成できる。
【００４３】
次に、図８を参照して、本発明の第２実施形態に係る遊技機用表示機３０について説明する。なお、上記実施形態と同じ構成については同じ符番を付して、その詳細な説明は省略する。
【００４４】
図８に示すように、遊技機用表示機３０には、ケース３５内に、遊技球供給通路４２の一部を構成する冷却パイプ（供給通路部）７０が組み込んで構成されている。すなわち、遊技機用表示機３０は、液晶ディスプレイ３１と、バックライト３２と、回路基板３４と、冷却パイプ７０と、これらを収容するケース３５と、から成り、これらが一体となって、モジュール（ユニット）化されている。
【００４５】
冷却パイプ７０は、ステンレスおよびアルミニウム等の金属や、導電性樹脂等の高熱伝導性材料で形成されており、ケース３５の両側板５３を貫通し、ケース３５内を横断するように設けられている。冷却パイプ７０の上流端部７１および下流端部７２には、ケース３５の外部に位置して一対の接続ジョイント７３が設けられ、この両接続ジョイント７３を介して冷却パイプ７０と遊技球供給通路４２の残余の部分とが接続されている。ケース３５内において、冷却パイプ７０は、発熱部品３６の上方に配設されると共に、遊技球Ｂが転動する方向に下り傾斜に配設されている。また、冷却パイプ７０の外周面には多数のフィンＦが一体的に形成されており、エアーとの接触面積を増大できるようになっている。この場合、フィンＦを、冷却パイプ７０の延在方向に延びる形態としてもよい。なお、天板５１は、プラスチック等の樹脂性材料で形成することもできるが、この場合には天板５１に排気口を設けることが好ましい。
【００４６】
上述したように、ケース３５内において、発熱部品３６の周囲のエアーが昇温されると、昇温された昇温エアーは、冷却パイプ７０に接触し、冷却パイプ７０に吸熱される。冷却パイプ７０の熱は、冷却パイプ７０内を転動する遊技球Ｂに伝熱する。すなわち、発熱部品３６の熱は、遊技球Ｂに吸熱され、廃熱される。
【００４７】
これにより、冷却用ファン等を用いることなく、発熱部品３６を冷却することができる。また、遊技機用表示機３０のケース３５内に冷却パイプ７０が組み込まれるので、冷却パイプ７０とケース３５内のエアーとの接触面積を大きくでき、冷却効率を向上させることができる。
【００４８】
なお、本実施形態では、冷却パイプ７０を、ケース３５の両側板５３を貫通するように形成したが、この構成に限定されるものではなく、例えば、裏板５４を貫通させて冷却パイプ７０を配設してもよい。また、本実施形態では、ケース３５内の冷却パイプ７０を一方向に横断する構成にしたが、ケース３５内のデバイス等の位置を加味し、冷却パイプ７０の長さおよび経路を自由に構成することが可能である。
【００４９】
次に、図９を参照して、本発明の第３実施形態に係る遊技機用表示機３０について説明する。なお、上記実施形態と同じ構成については同じ符番を付して、その詳細な説明は省略する。
【００５０】
この実施形態では、天板５１は、板状の天板本体８１と、天板本体８１に積層した通路形成部８３とで構成され、通路形成部８３は、請求項で言う供給通路部を形成している。通路形成部８３は、天板本体８１と同様に、金属や導電性樹脂等の高熱伝導性材料で形成され、両端部７１、７２が接続ジョイント７３により遊技球供給通路４２の残余の部分と接続されると共に、遊技球Ｂが転動する方向に下り傾斜に形成されている。すなわち、遊技機用表示機３０は、液晶ディスプレイ３１と、バックライト３２と、回路基板３４と、これらを収容すると共に、天板５１上面に供給通路部が形成されたケース３５と、から成り、これらが一体となって、モジュール（ユニット）化されている。
【００５１】
通路形成部８３は、上部が開口した桶状（溝条）に形成され、天板本体８１と一体的に形成されている。この場合、通路形成部８３は、例えば、断面凹形状（図１０（ａ）参照）や、断面「Ｕ」字形状（図１０（ｂ））に形成されている。なお、同図に示すように、天板本体８１の下面に多数のフィンＦを設け、エアーとの接触面積を大きくすることが好ましい。また、天板本体８１と通路形成部８３とを一体に成形してもよい。
【００５２】
上述したように、ケース３５内において、発熱部品３６の周囲のエアーが昇温されると、昇温された昇温エアーは、天板本体８１に接触し、天板本体８１に吸熱される。天板本体８１に吸熱された熱は、通路形成部８３に伝熱し、通路形成部８３内の遊技球Ｂに伝熱する。すなわち、発熱部品３６の熱は、遊技球Ｂに吸熱され、廃熱される。
【００５３】
これにより、冷却用ファン等を用いることなく、発熱部品３６を冷却することができる。また、天板本体８１が通路形成部８３の一部を構成するので、コストアップを抑制することができる。さらに、天板本体８１と通路形成部８３とを別体とした場合には、遊技機用表示機３０は既存のものを使用できる。
【００５４】
なお、天板本体８１および通路形成部８３に、遊技球Ｂの転動に支障が無い程度の大きさの小孔８４を上下方向に複数貫通形成してもよい。これにより、小孔８４を貫通したケース３５内の昇温エアーを、直接通路形成部８３内の遊技球Ｂに吸熱させると共に、通路形成部８３の上部開口から外部に逃がすことができる。
【図面の簡単な説明】
【００５５】
【図１】本発明の実施形態に係る遊技システムを示す模式図である。
【図２】本実施形態に係るパチンコ機を前面側から見た外観斜視図である。
【図３】本実施形態に係るパチンコ機の後面側から見た外観斜視図である。
【図４】（ａ）は遊技機用表示機の前面側の外観斜視図であり、（ｂ）は遊技機用表示機の後面側の外観斜視図である。
【図５】図３のＤ−Ｄ´の断面図である。
【図６】本実施形態の変形例に係る放熱部材廻りを模式的に示す断面図である。
【図７】本実施形態に係る遊技機用表示機の冷却構造を説明するための模式図である。
【図８】本発明の第２実施形態に係る遊技機用表示機を説明するための模式図である。
【図９】本発明の第３実施形態に係る遊技機用表示機を説明するための模式図である。
【図１０】本実施形態に係る通路形成部廻りを模式的に示す断面図である。
【符号の説明】
【００５６】
１０…遊技機３０…遊技機用表示機（遊技機用モジュール）  ３５…ケース  ４２…遊技球供給通路  ４５…下半部  ５１…天板  ６０…放熱部材  ６２…上面  ７０…冷却パイプ  ８１…天板本体  ８３…通路形成部  Ｂ…遊技球
【図１】
2008188299.tif 000003
【図２】
2008188299.tif 000004
【図３】
2008188299.tif 000005
【図４】
2008188299.tif 000006
【図５】
2008188299.tif 000007
【図６】
2008188299.tif 000008
【図７】
2008188299.tif 000009
【図８】
2008188299.tif 000010
【図９】
2008188299.tif 000011
【図１０】
2008188299.tif 000012